(57)【要約】【課題】キャップの外観を保つとともにベントホールからの異物の混入を防止しつつ、ライナーを確実に係止してキャップ本体からの抜け外れを防ぐ。【解決手段】キャップ中心線Ｏを中心とした円板状の天板部２と、この天板部２の外周からキャップ中心線Ｏを中心として円筒状に延びる周壁部３とが一体に成形されたキャップ本体１と、このキャップ本体１の天板部２の内面２ａに配設される円板状のライナー４とを備え、キャップ本体１の周壁部３における天板部２寄りの部分には、周壁部３を貫通することなくライナー４の外周縁よりもキャップ中心線Ｏに対する半径方向内周側に突出してライナー４を係止するライナー係止部１１が形成されるとともに、周壁部３においてライナー係止部１１が形成されていない部分には、周壁部３を貫通するベントホール１２が形成される。【選択図】図２
2020073400.tif 000002
【特許請求の範囲】
【請求項１】
キャップ中心線を中心とした円板状の天板部と、この天板部の外周から上記キャップ中心線を中心として円筒状に延びる周壁部とが一体に成形されたキャップ本体と、
このキャップ本体の上記天板部の内面に配設される円板状のライナーとを備えたキャップであって、
上記キャップ本体の上記周壁部における上記天板部寄りの部分には、該周壁部を貫通することなく上記ライナーの外周縁よりも上記キャップ中心線に対する半径方向内周側に突出して上記ライナーを係止するライナー係止部が形成されるとともに、
上記周壁部において上記ライナー係止部が形成されていない部分には、該周壁部を貫通するベントホールが形成されていることを特徴とするキャップ。
【請求項２】
上記ライナー係止部は、上記キャップ中心線回りに上記周壁部の全周に亙って形成されているとともに、上記ベントホールは、上記ライナー係止部よりも上記天板部とは反対側に形成されていることを特徴とする請求項１に記載のキャップ。
【請求項３】
請求項１または請求項２に記載のキャップを、ボトル本体のキャップ取付部に取り付けたことを特徴とするキャップ付きボトル。
【発明の詳細な説明】
【技術分野】
【０００１】
本発明は、ボトル缶等のボトルの口部に取り付けられるキャップ、およびこのキャップを取り付けたキャップ付きボトルに関するものである。
【背景技術】
【０００２】
このようなキャップおよびキャップ付きボトルとして、例えば特許文献１には、天面部と該天面部の周縁から略垂下されてなる円筒部とを備えるキャップ本体と、天面部の内面に設けられたライナーとを有し、容器の口金部を密栓するライナー付キャップであって、上記容器にライナー付キャップを再栓して該容器内部の内圧を６００ｋＰａとした場合において、ライナー付キャップを閉止位置から周方向に１８０°回転させて開栓した際に、容器内部の内圧が１５０ｋＰａ以下に低下するライナー付キャップと、このようなライナー付キャップを容器の口金部に巻締めて密栓したキャップ付容器であって、容器にライナー付キャップを再栓して該容器の内圧を６００ｋＰａとした場合において、ライナー付キャップを閉止位置から開栓方向に１８０°開栓させて開栓するまでに生じる最大トルクが８０Ｎ・ｃｍ以下とされるキャップ付容器とが記載されている。
【０００３】
ここで、上記キャップの円筒部の天面部近傍には、周方向にスリット状に開口形成されて開栓時に内圧を開放する複数のベントホールが設けられており、これらのベントホールが最も大きく開口して観察される位置における、ベントホールのそれぞれの開口面積が０．３５ｍｍ２以上０．８ｍｍ２以下とされ、各ベントホールの開口面積を総合した総面積が５．０ｍｍ２以上１１．５ｍｍ２以下とされている。
【先行技術文献】
【特許文献】
【０００４】
【特許文献１】特開２０１６−１５５６０２号公報
【発明の概要】
【発明が解決しようとする課題】
【０００５】
ところで、この特許文献１に記載されたキャップでは、上記キャップ本体の円筒部における上記ベントホールの上部開口部端部および下部開口部端部を円筒部の半径方向内方に向けて折り曲げて形成した上部突起部および下部突起部が設けられており、上部突起部の先端はライナーの外周縁よりも半径方向内方に位置されているとともに、下部突起部の先端と半径方向で同位置または半径方向外方に位置している。このようなキャップにおいて上記ライナーは、キャップ本体の開口端部から挿入されることにより、その外周縁が弾性変形して下部突起部および上部突起部を乗り越えて組み付けられ、上部突起部に係止されて天面部の内面との間に保持される。
【０００６】
従って、ライナーを確実にキャップ本体に係止するには、ベントホールの上部開口部端部によって形成される上部突起部を、半径方向内方により大きく折り曲げなければならない。しかしながら、そのようなキャップでは、個々のベントホールも大きく開口することになるため、キャップの外観が悪くなるとともに、特許文献１にも記載されているようにベントホールからキャップ本体内に異物が混入し易くなるおそれがある。
【０００７】
本発明は、このような背景の下になされたもので、キャップの外観を保つとともにベントホールからの異物の混入を防止しつつ、ライナーを確実に係止してキャップ本体からの抜け外れを防ぐことが可能なキャップおよびキャップ付きボトルを提供することを目的としている。
【課題を解決するための手段】
【０００８】
上記課題を解決して、このような目的を達成するために、本発明のキャップは、キャップ中心線を中心とした円板状の天板部と、この天板部の外周から上記キャップ中心線を中心として円筒状に延びる周壁部とが一体に成形されたキャップ本体と、このキャップ本体の上記天板部の内面に配設される円板状のライナーとを備えたキャップであって、上記キャップ本体の上記周壁部における上記天板部寄りの部分には、該周壁部を貫通することなく上記ライナーの外周縁よりも上記キャップ中心線に対する半径方向内周側に突出して上記ライナーを係止するライナー係止部が形成されるとともに、上記周壁部において上記ライナー係止部が形成されていない部分には、該周壁部を貫通するベントホールが形成されていることを特徴とする。
【０００９】
また、本発明のキャップ付きボトルは、このようなキャップを、ボトル本体のキャップ取付部に取り付けたことを特徴とする。
【００１０】
このように構成されたキャップおよびキャップ付きボトルでは、ライナーの外周縁よりもキャップ中心線に対する半径方向内周側に突出してライナーを係止するライナー係止部にはベントホールのように周壁部を貫通する部分が形成されておらず、周壁部を貫通して開栓時に内圧を開放するベントホールは、このライナー係止部が形成されていない部分に形成されている。このため、ライナーはライナー係止部によって確実に係止しつつ、ベントホールを大きく開口させる必要は無くなり、キャップ付きボトルにおいてベントホールからキャップ取付部が覗けて外観が悪くなったり、ベントホールから異物が混入し易くなったりするのを防ぐことができる。
【００１１】
ここで、上記ライナー係止部を、上記キャップ中心線回りに上記周壁部の全周に亙って形成することにより、ライナーの外周縁も全周に亙ってライナー係止部により係止されるので、ライナーの抜け外れを一層確実に防ぐことが可能となる。そして、このような場合には、上記ベントホールは、上記ライナー係止部よりも上記天板部とは反対側に形成すればよい。
【発明の効果】
【００１２】
以上説明したように、本発明によれば、ベントホールを大きく開口させる必要が無くなって、外観の悪化や異物の混入を防ぐことができるとともに、ライナーを確実に係止してキャップ本体からの抜け外れを防止することができる。
【図面の簡単な説明】
【００１３】
【図１】本発明のキャップの一実施形態を示す斜視図である。
【図２】図１に示す実施形態の一部破断側面図である。
【図３】図１におけるＸ部分の拡大断面図である。
【発明を実施するための形態】
【００１４】
図１ないし図３は、本発明のキャップの一実施形態を示すものである。本実施形態のキャップは、雄ネジ部が形成されたキャップ取付部を有するネジ付きボトル缶用のキャップであって、アルミニウムまたはアルミニウム合金等の金属材料により形成されてキャップ中心線Ｏを中心とした有底円筒状のキャップ本体１を備えている。すなわち、このキャップ本体１においては、円板状の天板部２と、この天板部２の外周からキャップ本体１の下端側（図２および図３において下側）に向けて上記キャップ中心線Ｏを中心とする円筒状に延びる周壁部３とが一体に成形されている。
【００１５】
また、天板部２の内面（下面）２ａには、樹脂製の円板状のライナー４が配設される。このライナー４は、ポリエチレンまたはポリプロピレンを主とする硬質樹脂製で天板部２側に内面２ａと非接着状態で配置される大径の摺動層４ａと、この摺動層４ａの天板部２とは反対側に直接またはバリア層等の中間層を介して配置されるエラストマー樹脂の摺動層４ａよりも軟質な樹脂製で小径の密封層４ｂとを備えた多層構造とされている。摺動層４ａは厚さが略均一な平板状とされる一方、密封層４ｂは外周縁部が厚肉で内周部は天板部２側に凹んだ薄肉とされ、これら内周部と外周縁部との間の段差部は内周側に向かうに従い天板部２側に向かうテーパ面状とされている。
【００１６】
また、キャップ本体１の周壁部３には、天板部２寄りの上端部側に、下端側に向けてキャップ中心線Ｏに対する半径方向外周側に膨らむナール５と、このナール５の下端に連なって内周側に凹むグルーブ６とがキャップ中心線Ｏ回りに周壁部３を周回するように形成されている。さらに、天板部２とは反対側の周壁部３の下端部側には、上端部側から下端部側に向けて順に、やはり外周側に膨らむビード７と、このビード７よりも外径が小径の破断容易部８と、この破断容易部８よりも外径が大径とされてキャップ本体１の下端に延びる円筒状のフレア（開放端部）９とが形成されている。
【００１７】
破断容易部８には、側面視に周方向に延びてキャップ中心線Ｏに対する半径方向内周側に凹むスリット部８ａが周方向に等間隔をあけて複数形成されるとともに、これらのスリット部８ａの間の部分はブリッジ部８ｂとされている。スリット部８ａには、該スリット部８ａの上端部側の長辺に、周壁部３を貫通するスリット８ｃが形成されている。また、フレア９は、ボトル缶の上記キャップ取付部へのキャッピングの際に、キャップ取付部の雄ネジ部の下端部側に形成された膨出部の下端部に裾巻きされる。
【００１８】
さらに、周壁部３の上端部側のグルーブ６と下端部側のビード７との間の部分は、ボトル缶の上記キャップ取付部へのキャッピングの際にキャップ取付部の雄ネジ部に螺合する雌ネジ部が形成される雌ネジ形成予定部１０とされている。この雌ネジ形成予定部１０の外径は、グルーブ６の外径よりも大きく、ビード７の外径よりは小さな略一定の外径とされている。
【００１９】
一方、上記ナール５には、このナール５のうちでも天板部２寄りの部分に、キャップ本体１の周壁部３が内周側に凹まされるように成形されてキャップ中心線Ｏに対する半径方向内周側に突出し、ただし周壁部３を貫通することのないライナー係止部１１が形成されている。このライナー係止部１１に内接するキャップ中心線Ｏを中心とした円筒面の半径は、上記ライナー４の外周縁（摺動層４ａの外周縁）の半径より小さくされるとともに、密封層４ｂの外周縁の半径よりは大きくされていて、このライナー係止部１１によってライナー４は摺動層４ａの外周縁が係止されて抜け止めされ、天板部２の内面２ａとの間に保持される。
【００２０】
ここで、本実施形態において、このライナー係止部１１は、キャップ中心線Ｏに沿った断面において図２および図３に示すように、周壁部３の上端部側から下端部側に向かうに従い半径方向内周側に凹んだ後、凸曲線を描いて半径方向外周側に向かうように形成されるとともに、キャップ中心線Ｏ回りに周壁部３の全周に亙って形成されていて、これにより本実施形態のキャップにおけるナール５は２段で半径方向外周側に膨らむように成形される。なお、ライナー係止部１１に内接するキャップ中心線Ｏを中心とした上記円筒面の半径は、グルーブ６に内接するキャップ中心線Ｏを中心とした円筒面の半径よりも僅かに小さい。
【００２１】
また、このように２段に膨らむナール５のうち、周壁部３の下端部側の段のキャップ中心線Ｏ方向の幅は、上端部側の段のキャップ中心線Ｏ方向の幅よりも大きくされている。そして、この幅広とされたナール５の天板部２とは反対側における下端部側の段のライナー係止部１１が形成されていない部分には、周壁部３をキャップ中心線Ｏに対する半径方向に貫通するベントホール１２が形成されている。
【００２２】
ここで、本実施形態におけるベントホール１２は、このナール５の下端部側の段を外周側から見て下端部側に開口する「コ」字状に切り欠いて内周側に折り曲げることにより下部突起部１２ａを形成して周壁部３を貫通させたものであり、このようなベントホール１２が周方向に等間隔をあけて複数形成されている。なお、このようにして内周側に折り曲げられた下部突起部１２ａに内接するキャップ中心線Ｏを中心とした円筒面の半径は、ライナー係止部１１に内接するキャップ中心線Ｏを中心とした上記円筒面の半径よりも僅かに大きい。
【００２３】
このようなボトル缶用キャップのキャップ本体１を製造するには、まず上記アルミニウムまたはアルミニウム合金等の金属材料よりなる所定の元板厚の圧延板材を円板状のブランク材に打ち抜き、このブランク材の外周部を、円形孔を有するダイの上面に配置して上記円形孔と同軸の円形孔を有する押さえとの間に挟み込んで支持するとともに、押さえの円形孔からダイの円形孔に円柱状のパンチを挿入することにより絞り込んで有底円筒状のキャップシェルを成形する。
【００２４】
このとき、キャップ本体１の天板部２となるキャップシェルの天板部の厚さは、圧延板材の元板厚と略等しくなる。また、このキャップシェルを成形する際に、同時にキャップシェルの開放端部をトリミングしてキャップ中心線Ｏ方向の高さを揃える。しかる後、このキャップシェルの周壁部に、ライナー係止部１１とベントホール１２および下部突起部１２ａとを備えたナール５と、グルーブ６、ビード７、スリット部８ａを備えた破断容易部８、フレア９、および雌ネジ形成予定部１０とを成形することにより、上述のようなキャップ本体１が製造される。
【００２５】
また、このようなキャップ本体１の天板部２の内面２ａにライナー４を配設するには、例えば予め上述のような多層構造とされて円板状に切断されたライナー４を、弾性変形しつつライナー係止部１１内を通してキャップ本体１内の天板部２の内面２ａとの間に挿入する。あるいは、例えば特開２０１１−２４０９３７号公報に記載されているように、円板状に切断したライナー４の摺動層４ａを弾性変形しつつライナー係止部１１内を通してキャップ本体１内の天板部２の内面２ａ側に挿入した上で、モールド成形用の金型をキャップ本体１内に挿入し、この金型によって密封層４ｂをモールド成形する。または、例えば特開２０１５−００３３２５号公報に記載されているように、ライナー４の摺動層４ａと密封層４ｂとを、それぞれモールド成形用の金型を用いてこの順にモールド成形してもよい。
【００２６】
さらに、このようにしてライナー４が配設されたキャップ本体１をボトル缶等のボトル本体にキャッピングして本発明の一実施形態のキャップ付きボトルを製造するには、飲料等の内容物が充填されたボトル本体のキャップ取付部にキャップ本体１を被せて、天板部２の上面外周部をキャッピング装置のプッシャーブロックによってキャップ取付部の開口縁に押圧して絞り加工することにより、ライナー４の密封層４ｂのうち厚肉とされた外周縁部を開口縁に圧着する。
【００２７】
そして、この状態のまま、キャッピング装置の裾巻きローラによってキャップ本体１のフレア９をキャップ取付部の上記膨出部の下端部に裾巻きするとともに、ボトル本体がキャップ取付部に雄ネジ部を有しているネジ付きのボトル缶等の場合には、ネジ切りローラをこの雄ネジ部のネジ谷部に沿って螺旋状に移動させることにより、キャップ本体１の雌ネジ形成予定部１０に雌ネジ部を成形する。これにより、キャップ本体１がキャップ取付部に螺着されてボトル本体内が封止され、本発明の一実施形態のキャップ付きボトルが製造される。
【００２８】
上記構成のキャップ、およびこのキャップを上述のようにボトル本体のキャップ取付部に取り付けたキャップ付きボトルでは、ライナー４の外周縁よりもキャップ中心線Ｏに対する半径方向内周側に突出してライナー４を係止するライナー係止部１１にはベントホール１２のようにキャップ本体１の周壁部３を貫通する部分が形成されていないので、ライナーを確実に係止するためにライナー係止部１１に内接するキャップ中心線Ｏを中心とした円筒面の半径を小さくしても、このように周壁部３を貫通する部分が大きくなることは無い。
【００２９】
そして、周壁部３を貫通して開栓時に内圧を開放するベントホール１２は、このライナー係止部１１が形成されていない部分に形成されている。このため、ライナー４はライナー係止部１１によって確実に係止して抜け外れを防ぐとともに、ベントホール１２は内圧を開放するのに必要な範囲で小さくすることができ、大きく開口したベントホール１２からキャップ付きボトルのキャップ取付部が覗いて見えて外観が悪くなったり、ベントホール１２からキャップ本体１とキャップ取付部との間に異物が混入し易くなったりするのを防ぐことができる。
【００３０】
また、本実施形態では、ライナー係止部１１がキャップ中心線Ｏ回りに周壁部３の全周に亙って形成されており、従ってライナー４の外周縁も全周に亙ってライナー係止部１１により係止されるので、ライナー４の抜け外れを一層確実に防ぐことが可能となる。さらに、こうしてライナー係止部１１を周壁部３の全周に亙って形成した場合に、本実施形態では、ベントホール１２がライナー係止部１１よりも天板部２とは反対側に形成されているので、やはりライナー係止部１１に内接するキャップ中心線Ｏを中心とした円筒面の半径を小さくしてもベントホール１２が大きく開口するのは避けることができる。
【００３１】
ただし、本実施形態では、ライナー係止部１１を周壁部３の全周に亙って形成してナール５が上端部側と下端部側とで２段に膨らむようにしているが、特許文献１に記載されたキャップのように１段に膨らむナール５のままとし、このナール５に、周壁部３を貫通することなくライナー４の外周縁よりもキャップ中心線Ｏに対する半径方向内周側に突出するライナー係止部１１を、周方向に点在するように間隔をあけて複数形成してライナー４を係止するようにしてもよい。このような場合に、ベントホール１２は、上記実施形態と同じくライナー係止部１１よりも周壁部３の下端部側に形成されていてもよく、またキャップ中心線Ｏ方向においてライナー係止部１１と重なるようにして、周方向にライナー係止部と間隔をあけて形成されていてもよい。
【００３２】
また、本実施形態では、ナール５を外周側から見て下端部側に開口する「コ」字状に切り欠いて内周側に折り曲げることにより下部突起部１２ａを形成し、周壁部３を貫通するベントホール１２を形成しているが、ナール５に外周側から見て涙滴形、または円形や楕円形をなしてキャップ本体１の内周側に凹む凹部を形成し、この凹部に、周方向にスリット状に延びて周壁部３を貫通するベントホール１２を形成するとともに、このベントホール１２の上部開口部および下部開口部を半径方向内周側に折り曲げて該ベントホール１２を開口するようにしてもよい。なお、ベントホール１２は、単なる断面円形の孔状に開口するものであってもよい。
【００３３】
さらに、本実施形態では、ナール５にベントホール１２が周方向に等間隔に形成されているが、このベントホール１２が形成されない非形成領域をナール５に設け、この非形成領域に、ベントホール１２よりも周方向に長い弱化スリットや弱化スコアを形成したり、さらにこれら弱化スリットや弱化スコアに凹部によって薄肉化されたりスリット加工されたりして周囲よりもさらに弱化された開口基点部を設けたりしてもよい。このような弱化スリットや弱化スコアを設けることにより、キャップを一旦開栓してから閉栓した後にボトル内の内容物が腐敗したり発酵したりして内圧が上昇したときでも、弱化スリットや弱化スコアが押し広げられることにより内部のガスを放出する、防爆機能をキャップ本体１に付与することができる。
【符号の説明】
【００３４】
１  キャップ本体
２  天板部
２ａ  天板部２の内面
３  周壁部
４  ライナー
４ａ  摺動層
４ｂ  密封層
５  ナール
６  グルーブ
７  ビード
８  破断容易部
９  フレア
１０  雌ネジ形成予定部
１１  ライナー係止部
１２  ベントホール
１２ａ  下部突起部
Ｏ  キャップ中心線
【図１】
2020073400.tif 000003
【図２】
2020073400.tif 000004
【図３】
2020073400.tif 000005